(57)【要約】【課題】容器本体と該容器本体に一体化したキャップとからなるチューブ容器に於いて、高い寸法精度を必要とせずに、容器本体とキャップ本体との間に水が浸入することを防止する。【解決手段】チューブ容器は、チューブ容器本体と、ノズルを有するキャップ本体と蓋部とをヒンジで連結したワンタッチキャップとを有する。チューブ容器本体は、肩部に立設外周面と環状平面とにより断面Ｌ字型となった段部を有し、ワンタッチキャップは、チューブ容器本体の段部に環状に接する水密部を有する。前記水密部は、段部のうち立設外周面に所定の幅をもって面状に接する立設内周面であるか、段部のうち環状平面に環状に接する断面三角形の突条である。段部に位置する容器内側に変形防止用リブを形成する。【選択図】        図１
2006182380.tif 000002
【特許請求の範囲】
【請求項１】
チューブ容器本体と、ノズルを有するキャップ本体と蓋部とをヒンジで連結したワンタッチキャップとを有するチューブ容器であって、前記チューブ容器本体は、肩部に立設外周面と環状平面とにより断面Ｌ字型となった段部を有し、前記ワンタッチキャップは、前記チューブ容器本体の前記段部に環状に接する水密部を有することを特徴とするチューブ容器。
【請求項２】
前記ワンタッチキャップの前記水密部は、前記チューブ容器本体の前記段部のうち、前記立設外周面に所定の幅をもって面状に接する立設内周面であることを特徴とする請求項１に記載したチューブ容器。
【請求項３】
前記ワンタッチキャップの前記水密部は、前記チューブ容器本体の前記段部のうち、前記環状平面に環状に接する断面三角形の突条であることを特徴とする請求項１に記載したチューブ容器。
【請求項４】
前記チューブ容器本体の前記段部に位置する容器内側には、変形防止用リブが形成されていることを特徴とする請求項１に記載したチューブ容器。
【発明の詳細な説明】
【技術分野】
【０００１】
本発明は、チューブ状の容器本体と、該容器本体に取り付けられたワンタッチキャップとを有して構成されるチューブ容器に関し、特に、浴室など水がかかるような環境で使用した場合でも容器本体とワンタッチキャップとの接合部位から水が侵入することを防止し得るように構成したチューブ容器に関するものである。
【背景技術】
【０００２】
チューブ容器は可撓性を有するチューブの一端を閉鎖すると共に他端に注出口を有する肩部を取り付けた容器本体と、該容器本体の肩部に取り付けられて注出口を開閉するキャップと、を有して構成され、容器本体に充填された内容物をチューブを押圧して注出して使用するものである。
【０００３】
チューブ容器は、容器本体の肩部に設けた注出口の開閉構造に対応して、ネジキャップを有し、使用時にはネジキャップを容器本体から離脱させて使用するタイプのものと、キャップ本体に蓋をヒンジで接続することで該蓋をワンタッチ操作で開閉し得るように構成し、使用時，非使用時に関わらずキャップ本体を肩部に取り付けた状態を保持しているタイプのものとがあり、何れも広く利用されている。
【０００４】
チューブ容器は、例えば内容物が洗顔料である場合のように、浴室や洗面所等の水がかかるような環境で使用されることがある。この場合、ネジキャップタイプのチューブ容器では、ネジキャップが容器本体から分離した状態で使用するため、水がかかったとしても大きな問題になることはない。しかし、ワンタッチキャップタイプのチューブ容器では、容器本体とキャップ本体とが常に取付状態を保持しているため、両者の間に形成された空間に水が浸入して滞留し、この滞留した水がかびの発生原因になるような虞がある。
【０００５】
このため、ワンタッチ操作で開閉し得るように構成したチューブ容器では、容器本体とキャップ本体との間に対する水の浸入を如何にして防止するか、が大きな課題となっている。
【０００６】
例えば、特許文献１に記載された技術では、チューブ容器本体の肩部に肩筒を突設すると共に、吐出キャップに外装周壁と該外装周壁の内側に形成した嵌合内周壁を形成しておき、吐出キャップの係合筒に設けた係止凹溝を口頸部の係止突条と係合させるのに伴って、前記外装周壁，嵌合内周壁を肩筒の外周面，内周面に嵌合させたものである。この技術では、チューブ容器本体の胴部を伝って吐出キャップの裏側に流入しようとする水は、肩筒に対する外装周壁，嵌合内周壁の嵌合により阻止され、吐出キャップの裏側に浸入することがない。
【０００７】
【特許文献１】特開平０８−０２６３０８号公報
【発明の開示】
【発明が解決しようとする課題】
【０００８】
上記特許文献１の技術では、吐出キャップの裏側に対する水の流入を防止するために、チューブ容器本体の肩部に設けた肩筒の外周面及び内周面に、吐出キャップの外装周壁及び内周壁を嵌合させている。このため、チューブ容器本体の肩部と吐出キャップを高い寸法精度に保持することが必要となり、生産工程が煩雑になる虞がある。
【０００９】
本発明の目的は、高い寸法精度を必要とせずに、容器本体とキャップ本体との間に水が浸入することを防止し得るチューブ容器を提供することにある。
【課題を解決するための手段】
【００１０】
上記課題を解決するために本発明に係るチューブ容器は、チューブ容器本体と、ノズルを有するキャップ本体と蓋部とをヒンジで連結したワンタッチキャップとを有するチューブ容器であって、前記チューブ容器本体は、肩部に立設外周面と環状平面とにより断面Ｌ字型となった段部を有し、前記ワンタッチキャップは、前記チューブ容器本体の前記段部に環状に接する水密部を有するものである。
【００１１】
上記チューブ容器に於いて、ワンタッチキャップの前記水密部は、チューブ容器本体の段部のうち立設外周面に所定の幅をもって面状に接する立設内周面であるか、又はチューブ容器本体の段部のうち環状平面に環状に接する断面三角形の突条であることが好ましく、チューブ容器本体の前記段部に位置する容器内側には変形防止用リブが形成されていることがより好ましい。
【発明の効果】
【００１２】
上記チューブ容器では、チューブ容器本体（以下、単に「容器本体」という）の肩部に、立設外周面と環状平面とよりなる断面がＬ字型の段部を設け、ワンタッチキャップ（以下、単に「キャップ」という）が前記段部に環状に接する水密部を有するため、該水密部を段部に接触させることによって水密性を発揮させることが出来、水がかかったりしても、この水が容器本体の肩部とキャップとの間に形成される空間に浸入することがない。このため、容器本体の肩部とキャップとの間に形成された空間に水が滞留することがなく、かびが発生する虞がない。
【００１３】
特に、水密部を、容器本体に形成した段部の立設外周面に対し面状に接する立設内周面とするか、或いは段部の環状平面に接する突条とすることによって、水密性を発揮させるべき部位を一つの面接触部分か、一つの線接触部分とすることが可能となり、高い寸法精度を確保しなくとも水密性を発揮させることが出来る。
【００１４】
更に、容器本体の段部に対応する容器内側に変形防止用リブを形成することによって、容器本体の肩部を押圧した場合でも該肩部の変形を小さくすることが可能となる。このため、残りの少ない内容物を取り出す際に、肩部に接近したチューブを押圧しても、肩部とキャップとの間に形成される隙間を小さくすることが出来る。
【発明を実施するための最良の形態】
【００１５】
以下、本発明に係るチューブ容器の最も好ましい実施形態について説明する。本発明に係るチューブ容器は、可撓性を持ったチューブの一端を閉鎖すると共に他端に注出口を有し且つチューブよりも高い剛性を持った肩部を設けた容器本体と、容器本体に取り付けられ注出口と対向する位置にノズルを設けると共に該ノズルを開閉する蓋部をヒンジで接続して構成したキャップと、を有し、容器本体の肩部にキャップを取り付けて構成されるものであり、肩部にキャップを取り付けたとき、キャップに設けた水密部が肩部の段部に接触することで水密性を発揮し、両者の間に形成される空間に水が浸入することを防止し得るようにしたものである。
【００１６】
容器本体を構成するチューブは構造や寸法等を限定するものではなく、収容する内容物に対応させて最も適した材質と寸法，形状に設定することが好ましい。
【００１７】
肩部の材質等は特に限定するものではないが、チューブよりも高い剛性を発揮し、且つ該チューブに対し、成形時に、或いは成形後に容易に一体化し得るような材質であることが好ましい。肩部の所定位置（略中央）には、該容器本体に内容物を充填し、或いは注出し、更に、キャップを取り付けるための口部が形成される。この口部の形状や寸法或いは構造は特に限定するものではなく、キャップを嵌合して係止し得るような構成であれば良い。このような構造としては、キャップ側にリング状の溝を形成し、口部の外周面に前記溝に嵌合する突起を設けることで良く、またネジを形成することでも良い。
【００１８】
肩部のチューブとの接合部の近傍には立設外周面と環状平面が配置され、部分的な断面がＬ字状の段部として構成されている。この段部は、立設外周面又は環状平面がキャップに設けた水密部と接触して水密性を発揮するものである。
【００１９】
このため、立設外周面はチューブの軸方向に対し所定の幅を持った円筒状の外周面として形成され、環状平面は該立設外周面に対し略直角に交叉した環状の平面として形成される。また立設外周面の径や幅、環状平面の幅等の仕様は特に限定するものではなく、チューブ容器のサイズやキャップのサイズに対応させて適宜設定することが好ましい。
【００２０】
立設外周面と環状平面とは、必ずしも直角に交叉する必要はなく、直角以外の角度（例えば鈍角）であっても夫々の機能を損なうことはない。例えば外周立設面がチューブとの接合部位から環状平面側にかけて僅かに径が小さくなるような先細テーパ状であり、環状平面が容器本体の軸心に対して直角であり、断面がＬ字状で角度が９０°よりも大きくても良い。
【００２１】
キャップは、肩部の口部に対する取付部と、肩部に設けた段部と接触して水密性を発揮する水密部と、肩部の口部に対向して設けたノズルと、該ノズルを開閉し且つキャップにヒンジ結合する蓋部と、を有して構成される。
【００２２】
キャップの材質は特に限定するものではないが、柔軟性を有するものであることが好ましい。このように、柔軟性を有する材料によってキャップを成形することで、該キャップに設けた水密部を肩部に設けた段部に対し好ましく密着させることが可能であり、高い水密性を発揮することが可能となる。
【００２３】
キャップに設けた水密部は、容器本体の段部と接触して水密性を発揮し得る構造であれば良い。特に水密部としては、肩部に設けた立設外周面に面接触して水密性を発揮する立設内周面、又は肩部に設けた環状平面に当接して水密性を発揮する突条であることが好ましい。そして立設内周面或いは突条が、立設外周面或いは環状平面に対し、可撓性を持って密着することで、高い水密性を実現することが可能となる。
【００２４】
更に、キャップに設けた水密部は、立設内周面又は突条を夫々単独で構成したものである必要はなく、立設内周面と突条を合わせて形成したものであっても良い。この場合、立設内周面が肩部に設けた立設外周面に面接触するものの、突条は環状平面に対し線状に当接するため、二つの面が同時に面接触する構造ではなく、立設内周面と突条との関係位置に対する寸法精度を高くする必要はない。
【００２５】
チューブ容器は充填された内容物を残りなく使用し得ることが好ましい。このため、チューブを充分に柔軟性を持った材質によって構成しておくことが好ましい。この場合、チューブ容器に於ける内容物の残量が少なくなったとき、チューブの肩部の近傍まで絞ることがあり、この絞りに伴って肩部が変形して該肩部とキャップとの間に隙間が生じる虞がある。
【００２６】
このため、容器本体を構成する肩部はチューブを絞った場合でも変形を少なくし得るように、肩部の剛性を高くすることが好ましい。この場合、肩部の厚さを増して剛性を高くすることは好ましいことではなく、肩部に於ける容器本体の内側にリブを形成することによって剛性を高くすることが好ましい。このように、リブを設けることによって、肩部の成形に要する材料を大幅に増加させることなく、剛性を高めることが可能となる。
【実施例１】
【００２７】
次に、本発明に係るチューブ容器の実施例について図を用いて説明する。図１は第１実施例に係るチューブ容器の構成を説明する図である。図２は肩部に設けた段部と水密部との接触状態を説明する図である。図３はチューブ容器の使用状態を説明する図である。図４は内容物が少なくなったときの使用状態を説明する図である。
【００２８】
図に示すチューブ容器は、容器本体Ａと、水密部として立設内周面と突条とを設けたキャップＢとを有して構成されており、後述する容器本体Ａの段部に対し、キャップＢに形成された立設内周面を面接触させると共に、突条を環状平面に当接させることで水密性を発揮し得るように構成されている。
【００２９】
容器本体Ａは、予め設定された寸法，形状を有する可撓性を持ったチューブ１と、チューブ１の一方側の端部１ａに取り付けられた肩部２とによって構成されている。チューブ１の他方側の端部（図示せず）は最適な手段で封止されており、該チューブ１の端部１ａと肩部２の外縁部２ａが一体化することで容器本体Ａが構成されている。
【００３０】
肩部２の略中央には所定の径（本実施例では指を挿入し得る程度内の径）を持った注出口３が立設されており、該注出口３と外縁部２ａとの間に段部４が形成され、段部４と注出口３との間にテーパ部２ｂが形成されている。注出口３の外周面にはキャップＢを取り付けるための係止部３ａ（本実施例ではネジ３ａ）が形成されている。
【００３１】
段部４は、肩部２の外縁２ａから半径方向内側に形成されており、容器本体１の軸心に対し略平行な面からなる立設外周面４ａと、該外周円筒面４ａの端部を外縁として半径方向内側に形成された環状平面４ｂと、によって構成されている。このように段部４は、立設外周面４ａと環状平面４ｂが略直交するために、半径方向の断面がＬ字状に形成されている。また、特に限定するものではないが、立設外周面４ａと環状平面４ｂとが交叉するエッジには面取り部４ｃを形成しておくことが好ましい。
【００３２】
キャップＢは、天板１１を有し、該天板１１の一方側の面（下側面）であって、肩部２に設けた注出口３に対応する位置に該注出口３に取り付ける取付部１２が形成され、肩部２の段部４に対応する位置に先端部分に水密部１３を設けたスカート１４が形成されている。また注出口３に対向する位置に内容物を注出するノズル１５が形成されており、天板１１の所定位置にはヒンジ１６が形成されると共に該ヒンジ１６に蓋１７が接続して構成されている。
【００３３】
取付部１２の内周面には、肩部２の注出口３に設けた係止部３ａと対応する係合部１２ａ（本実施例ではネジ部１２ａ）が形成されており、係合部１２ａを係止部３ａに係合させることで、キャップＢを容器本体Ａに取り付けることが可能なように構成されている。
【００３４】
スカート１４は、先端部分に水密部１３が形成されている。本実施例に於いて、水密部１３は、肩部２の段部４を構成する立設外周面４ａと面接触して水密性を発揮する立設内周面１３ａと、段部４を構成する環状平面４ｂと線接触（突き当たり接触）して水密性を発揮する突条１３ｂと、によって構成されている。
【００３５】
キャップＢの係合部１２ａを肩部２の注出口３の係止部３ａに係合させたとき、水密部１３を構成する立設内周面１３ａが段部４の立設外周面４ａに面接触し、突条１３ｂが環状平面４ｂに突き当たって線接触して押圧して水密性を確保する。このため、スカート１４の長さは前記条件を満足し得るような値で形成されている。
【００３６】
水密部１３を構成する突条１３ｂは、基部と突端部との寸法が等しい板状に形成されていても良いが、基部の断面寸法が突端の寸法よりも大きい、断面三角形状であることが好ましい。このように、突状１３ｂが断面三角形状に形成されることによって、突端部分が段部４の環状平面４ｂに突き当たった後、作用する力に応じて突端部分から順に押しつぶされて水密性を確保することが可能となる。
【００３７】
上記の如く構成されたチューブ容器では、容器本体Ａの肩部２に立設した注出口３にキャップＢの取付部１２を取り付けるのに伴って、キャップＢのスカート１４の先端部分に設けた水密部１３が肩部２に設けた段部４と接触することで、高い水密性を確保することが可能である。
【００３８】
即ち、取付部１２の係合部１２ａ，注出口３の係止部３ａがネジ部３ａ，１２ａとして形成されるため、キャップＢを回転させてネジ部１２ａをネジ３ａに対して締め込むことで、この締め込みに伴って、先ず、水密部１３の立設内周面１３ａが段部４の立設外周面４ａに面接触することで水密性を発揮する。キャップＢの更なる回転に伴って、水密部１３の突１３ｂが段部４の環状平面４ｂに当接し、突端部分に潰れが生じて該突状１３ｂは環状平面４ｂに対し一様な当接状態となり、突状１３ｂによる水密性を発揮する。
【００３９】
上記の如く、本実施例では、キャップＢの水密部１３を構成する立設内周面１３ａと突状１３ｂの両方が夫々段部４の立設外周面４ｂ，環状平面４ｂと接触して夫々が水密性を発揮するため、高い水密性を確保することが可能である。
【００４０】
特に、水密部１３の立設内周面１３ａと段部４の立設外周面４ａとは容器本体Ａの軸心に略平行な方向に於ける面接触であり、突状１３ｂと環状平面４ｂとは容器本体Ａの軸心と平行な方向に於ける線接触と押圧であるため、突状１３ｂの立設内周面１３ａに対する位置関係が厳密に正確でなくとも、互いの接触状態を独立して確保することが可能である。従って、高い寸法精度を要求することなく、水密性を確保することが可能となる。
【００４１】
尚、本実施例では、係止部３ａ，係合部１２ａが夫々ネジによって形成されているが、係止部３ａが単なるリング状の突起であり、係合部１２ａが前記突起を受け入れるリング状の溝であっても、同様にして水密部１３の立設内周面１３ａを段部４の立設外周面４ａに面接触させると共に、突条１３ｂを環状平面４ｂに突き当たり接触させることが可能であり、充分な水密性を確保することが可能である。
【００４２】
上記チューブ容器では、通常は図３に示すように、容器本体Ａのチューブ１を押圧して変形させることで、この変形に対応してキャップＢのノズル１５から内容物を注出することが可能である。そして残量が少なくなったとき、図４に示すように、キャップＢを容器本体Ａから離脱させ、注出口３の内部に指を挿入して残った内容物を掻き出すことで、無駄なく使用することが可能である。
【実施例２】
【００４３】
次に、チューブ容器の水密部の第２実施例について図を用いて説明する。図５は肩部に設けた段部と水密部を構成する立設内周面との接触状態を説明する図である。尚、本実施例に於いて、前述の第１実施例と同一の部分及び同一の機能を有する部分には同一の符号を付して説明を省略する。
【００４４】
本実施例に係るチューブ容器は、容器本体Ａの構成は前述の第１実施例と同一であり、キャップＢのスカート１４の先端部分に設けた水密部１３の構成が異なる。即ち、本実施例では、水密部１３は、立設内周面１３ａのみによって構成されており、キャップＢの取付部１２の係合部１２ａを肩部２の注出口３に設けた係止部３ａに係合するのに伴って、水密部１３の立設内周面１３ａを段部４の立設外周面４ａに面接触させることが可能である。
【００４５】
そして、水密部１３の立設内周面１３ａが段部４の立設外周面４ａに対して面接触することで、水密性を確保することが可能である。
【実施例３】
【００４６】
次に、チューブ容器の水密部の第３実施例について図を用いて説明する。図６は肩部に設けた段部と水密部を構成する突条との接触状態を説明する図である。
【００４７】
本実施例に係るチューブ容器は、容器本体Ａの構成は前述の第１実施例と同一であり、キャップＢのスカート１４の先端部分に設けた水密部１３の構成が異なる。即ち、本実施例では、水密部１３は、突条１３ｂのみによって構成されており、キャップＢの取付部１２の係合部１２ａを肩部２の注出口３に設けた係止部３ａに係合するのに伴って、水密部１３の突条１３ｂを段部４の環状平面４ｂに突き当てて線接触させることが可能である。
【００４８】
そして、水密部１３の突条１３ｂが段部４の環状平面４ｂに対して線接触し、突端が充分に潰れることで、水密性を確保することが可能である。
【実施例４】
【００４９】
次に、チューブ容器の水密部の第４実施例について図を用いて説明する。図７は段部の内側にリブを設けた容器本体を有するチューブ容器の構成を説明する図である。
【００５０】
本実施例に係るチューブ容器は、前述の第１実施例に係るチューブ容器に於ける肩部２の内面にリブ５を設けたものである。従って、容器本体Ａの肩部２に設けた段部４の構成、及びキャップＢのスカート１４の先端部分に設けた水密部１３の構成は、第１実施例と同一である。
【００５１】
肩部２の内面（内容物の収容空間に面した面）には複数のリブ５が形成されている。このリブ５は、肩部２の外面に設けた段部４及びテーパ部２ｂと対応する位置に形成されており、容器本体Ａに於けるチューブ１の端部１ａと肩部２の外縁部２ａの部分の剛性を高めることで、外部から力が作用したとき、この力に対抗して肩部２の変形が可及的に小さくなるように構成されている。
【００５２】
このため、例えば容器本体Ａに於ける内容物の残量が少なくなったときに、チューブ１の肩部２の近傍を絞ったような場合でも、段部４の変形を少なくして該段部４に於ける水密部１３との接触が解消されることを防止することが可能である。
【００５３】
特に、肩部２の段部４の剛性を高めるために、肩部２の肉厚を厚くするのではなく、リブ５を設けているため、チューブ容器の重量を増加することがなく、内容量を小さくすることもない。
【産業上の利用可能性】
【００５４】
上記の如く構成されたチューブ容器では、容器本体ＡとキャップＢにシャワーの水が注いだり、これらの表面に付着した水が水密部１３に至っても、容器本体ＡとキャップＢとの間に形成される空間に入り込むことがない。このため、かびが発生するようなことななく、清潔に使用することが可能となる。従って、水が注ぐ環境で使用する内容物を充填する容器として利用して有利である。
【図面の簡単な説明】
【００５５】
【図１】第１実施例に係るチューブ容器の構成を説明する図である。
【図２】肩部に設けた段部と水密部との接触状態を説明する図である。
【図３】チューブ容器の使用状態を説明する図である。
【図４】内容物が少なくなったときの使用状態を説明する図である。
【図５】肩部に設けた段部と水密部を構成する立設内周面との接触状態を説明する図である。
【図６】肩部に設けた段部と水密部を構成する突条との接触状態を説明する図である。
【図７】段部の内側にリブを設けた容器本体を有するチューブ容器の構成を説明する図である。
【符号の説明】
【００５６】
Ａ                        容器本体
Ｂ                        キャップ
１                        チューブ
１ａ                      端部
２                        肩部
２ａ                      外縁部
２ｂ                      テーパ部
３                        注出口
３ａ                      係止部（ネジ部）
４                        段部
４ａ                      立設外周面
４ｂ                      環状平面
５                        リブ
１１                      天板
１２                      取付部
１２ａ                    係合部（ネジ部）
１３                      水密部
１３ａ                    立設内周面
１３ｂ                    突条
１４                      スカート
１５                      ノズル
１６                      ヒンジ
１７                      蓋
【図１】
2006182380.tif 000003
【図２】
2006182380.tif 000004
【図３】
2006182380.tif 000005
【図４】
2006182380.tif 000006
【図５】
2006182380.tif 000007
【図６】
2006182380.tif 000008
【図７】
2006182380.tif 000009